(57)【要約】【課題】歯の健康、検診、治療などの自己管理と医師による判断を的確かつ効率的に行なうことのできる歯の手帳に関する。【解決手段】かかりつけ歯科医の治療計画書３１、治療記録３２、口腔内写真検査報告書３３、歯科衛生士業務記録３４、歯の病気を絵や図面や写真などを用いて理解させる指導書３５などのつづり込み用紙を、用途に対応して適宜、有機的に組み合わせてファイル２に綴りこんでなる歯の手帳である。【選択図】図１
2004001275.tif 000002
【特許請求の範囲】
【請求項１】
少なくとも、かかりつけ歯科医の治療計画書、治療記録、口腔内写真検査報告書などからなるつづり込み用紙を、適宜、用途別に有機的に組み合わせて加除自在に綴じこんでなることを特徴とする歯の手帳。
【請求項２】
かかりつけ歯科医の治療計画書、治療記録、口腔内写真検査報告書、歯科衛生士業務記録、歯の病気を絵や図面や写真などを用いて理解させる指導書などからなるつづり込み用紙を、適宜、用途別に有機的に組み合わせて加除自在に綴じこんでなることを特徴とする歯の手帳。
【請求項３】
ファイルを耐水性のあるやや硬質のビニールなどの合成樹脂板や紙板を用いてＡ４版の半分くらいの大きさに形成したもので、このファイルの内部に備えたバインダーにつづり込み用紙を加除自在に綴じこむようになした請求項１および２に記載の歯の手帳。
【請求項４】
歯磨き用品、入れ歯用品などのパンフレットやカタログなどの宣伝広告用紙を加除自在に綴じこんでなる請求項１ないし３に記載の歯の手帳。
【請求項５】
ファイルの表紙または裏表紙の内側、裏表紙の外側のいずれか、またはいずれにも診察券や医師の名刺などを入れるポケットを形成してなる請求項３に記載の歯の手帳。
【発明の詳細な説明】
【０００１】
【発明の属する技術分野】
本発明は、歯の健康、検診、治療などの自己管理と医師による判断を的確かつ効率的に行なうことのできる歯の手帳に関する。
【０００２】
【従来の技術】
一般に、体に比べて歯の自己管理が十分に行なわれているとはいえない。それは、歯に対する知識のなさ、歯の治療への恐怖感、嫌悪感、理解不足などが原因である。痛みをともなわない場合は普段の生活に支障がないためでもある。このようなことから、歯科医院になかなか足が向かない。たとえ、痛みが少ない治療器械ができたとしても同じことである。
【０００３】
また、患者が歯科医院を変わった場合などの際、医師がその患者の過去の治療方法や治療行為を十分に把握することができないことが多かった。
【０００４】
【発明が解決しようとする課題】
ところが、歯は油断すると歯垢がたまって歯茎をいためたり、虫歯になったりする。虫歯を放置すると、成長過程の子供の顎に影響を与える。歯が並ぶための十分な顎ができないから、顔貌に悪影響を及ぼすことにもなる。歯垢がたまると、口臭がしたり、歯槽膿漏になって歯が抜けたりすることがあるため、時間と費用のかかる治療を必要とするようになる。
【０００５】
また、歯科治療や歯科矯正を行なう場合は、時間と費用が多くかかるため、患者に治療計画と経費を十分に理解してもらわなくてはならない。入れ歯を作る場合も同様である。しかも、治療記録が写真などとともに整理され、手帳に保存されていることが、その後の治療を、有効かつ費用も少なく、短時間に行うために重要となる。
【０００６】
さらに、子供や大人、治療種類別に有機的につづり込み用紙を組み合わせて綴じ込むことができ、しかも必要におおじてその組み合わせを取りかえて、用途に対応した指導と、治療と、理解を得ることが大事である。
【０００７】
本発明は、このような問題点を解決するため創作したものである。
【０００８】
【課題を解決するための手段】
本発明は、少なくとも、かかりつけ歯科医の治療計画書、治療記録、口腔内写真検査報告書などからなるつづり込み用紙を、適宜、有機的に組み合わせて加除自在に綴じこんでなる歯の手帳である。
【０００９】
加除式であるから、上記の各種つづり込み用紙を用途に対応させて適宜有機的に組み合わせて歯の手帳に綴じこんでおく。こうすることにより、歯科医院に行くことの精神的な抵抗が少なくなる。
【００１０】
この歯の手帳を持っていると、歯に関する全ての情報が手元にあることになり、歯の病気に対する治療を遅れることなく、的確に受けることができる。
【００１１】
ファイルに診察券や医師の名刺などを入れておくことができるので、これらの必要書類を紛失したりすることがなくなる。
【００１２】
歯科医院を変える場合でも、過去の治療記録などが参考になり、的確な治療が時間を無駄にすることなく行なうことができる。
【００１３】
【発明の実施の形態】
本発明に係る歯の手帳を、図面に示す実施態様に基づいて説明する。１は歯の手帳、２はこの歯の手帳１のファイルであって、内部に備えたバインダー２２によってつづり込み用紙３を加除自在に綴じこめるようにしたものである。ファイル２の形状や大きさは，限定するものではないが、Ａ４版の半分の大きさくらいがよい。また、このファイル２の材質としては、耐水性のあるやや硬質のビニールなどの合成樹脂板、紙板などが適する。ファイル２の表紙または裏表紙の内側、裏表紙の外側のいずれか、またはいずれにも診察券や医師の名刺などを入れておくポケット２１を形成しておく。ポケット２１は入れている診察券などが外部から見えるように透明材で形成しているのがよい。このポケット２１には、保険書も入れることができると便利である。
【００１４】
ファイル２に綴じこむつづり込み用紙３は、かかりつけ歯科医の治療計画書３１、治療記録３２、口腔内写真検査報告書３３、歯科衛生士業務記録３４、歯の病気を絵や図面や写真などを用いて理解させる指導書３５などである。
【００１５】
歯科医治療計画書３１は、患者の氏名、作成年月日、歯科医院の控え番号、主たる傷病名、他に見られる症状等、初診日、治療期間または治療回数、治療計画の概要、保険給付外の治療の有無、説明資料、保健医療機関名、所在地、担当医氏名、電話番号などを記載する欄などを設けている。なお、治療計画の概要と説明資料には、カラー写真等により具体的に治療計画を示し、治療前に患者の十分な理解を得る。他に、治療の手順や費用なども欄を設けて明らかにしておくとよい。治療の手順や費用などは備考欄に記入してもよい。なお、説明資料の欄には、スタディモデルか口腔内写真かを選択することができるようになし、カラー写真で説明できるようにする。
【００１６】
治療記録３２は、図示していないが、歯科治療を行なうたびに、年月日、医師名、治療箇所、治療法、実際にかかった治療費などを記しておくものである。歯垢などは、定期的に除去する必要があることから、こうした記録はとても有効である。つまり、半年に一度くらいは、歯垢をとることが大事であるから、この治療記録３２の欄とともに前記歯科医の治療計画書３１の欄にも定期検査の項目を設けて歯垢除去を定期的に行なうようにするとよい。その他、虫歯の治療なども歯垢除去と同じく定期的に行なうことができるようになしておくとよい。
【００１７】
口腔内写真検査報告書３３は、口腔内の普通の白黒写真やカラー写真、あるいはデジタル化した写真などを貼り付けたものである。この検査報告書も大事なもので、歯根の状態などが時系列的にヴィジアル表示されているため、状態変化の把握が容易であるから、治療時期の判断などが的確にできる。
【００１８】
歯科衛生士業務記録３４は、これまた図示していないが、主として歯垢除去の記録である。
【００１９】
歯の病気を絵や図面や写真などを用いて理解させる指導書３５は、例えば、虫歯、歯槽膿漏などの健康への影響、治療の必要性、治療の効果、治療法などを丁寧に解説したものである。大人用、子供用がある。その他、歯並びの矯正治療などもこの指導書３５で解説してもよい。
【００２０】
歯の手帳１のファイル２に綴じこむつづり込み用紙３は、上記した、かかりつけ歯科医の治療計画書３１、治療記録３２、口腔内写真検査記録３３、歯科衛生士業務記録３４、歯の病気を絵や図面や写真などを用いて理解させる指導書３５などであるが、これらのつづり込み用紙３は、全ての種類の用紙でもよいが、必要なものをファイル２のバインダー２２に綴じこむとよい。必要なものとは、大人用と子供用は当然異なるであろう。また、治療内容や用途によっても異なるであろう。つまり、入れ歯や差し歯の作成、治療と、歯並びの矯正治療ではつづり込み用紙３の内容が異なるのである。つまり、それぞれの用途に対応させて有機的に組み合わせたものをつづり込むのである。
【００２１】
つづり込み用紙３は、ここに例示したものの他、宣伝用のパンフレットのようなものであってもよい。歯磨き用品、入れ歯に関する用品などのパンフレットを適宜綴じこむことにより、メカーの宣伝広告効果も生じる。また、患者は、医師が紹介するこのような歯に関するいろいろな商品を知り、安心して購入することができる。新製品を載せたつづり込み用紙３に取り替え、常に新しい商品情報を患者に提供することができる。
【００２２】
【発明の効果】
本発明の歯の手帳は、少なくとも、かかりつけ歯科医の治療計画書、治療記録、口腔内写真検査報告書などのつづり込み用紙を用途に対応して有機的に組み合わせて加除自在に綴じこんでいるものである。歯科治療は、患者として治療への不安感が大きく、なかなか歯科医院へ足が向かない。痛みが少ない治療器械ができたとしてもこの傾向は同じである。特に、痛みがともなっていなければ、普段の生活に支障がないため余計である。
【００２３】
しかし、日ごろから、歯の病気の恐ろしさを理解させ、治療の必要性の指導を行ない、医師が患者にきちっとした治療計画を示すなら、安心感が生じて定期的な検査や早期の治療を受けるようになるであろう。必要な費用なども予め提示しておくと患者は安心して十分な治療を受けるようになるであろう。特に、長期の治療を要する矯正治療などは、十分な説明と理解が必要である。
【００２４】
本発明の歯の手帳は、これらの問題点を全て解決するものである。つまり、この歯の手帳の中に、歯科治療への精神的不安を払拭する要素となる記事がたくさん詰まっているからである。しかも、用途別に有機的に組み合わせてファイルのバインダーに綴じこむようになされている。つまり、加除式に構成されているのである。
【００２５】
たとえ、歯科医院を変えても、過去の治療記録などが写真などとともにこの歯の手帳の中に綴じこまれているから、継続して無駄のない治療が早く行なえる利点もある。また、同じ歯科医院であっても、過去の治療写真や検査写真などから現状把握が容易であり、的確な治療が行なえることになる。しかも、治療記録や治療計画などから、定期検診も行ない易く、患者もそれに従うことになる。
【００２６】
本発明の歯の手帳の中には、歯磨き用品、入れ歯用品などの商品カタログ、パンフレットなどを綴じこんでおくと、患者は医師の紹介商品ということで安心して購入、利用をおこなうことができる。宣伝広告にもなり、販売会社の売上にも貢献できる利点もある。
【図面の簡単な説明】
【図１】本発明の歯の手帳の全体を示す斜視図である。
【図２】かかりつけ歯科医の治療計画書の平面図である。
【図３】口腔内写真検査報告書の平面図である。
【図４】歯の病気を絵や図面や写真などを用いて理解させる指導書の平面図である。
【符号の説明】
１…歯の手帳
２…ファイル
２１…ポケット
２２…バインダー
３…つづり込み用紙
３１…かかりつけ歯科医の治療計画書
３３…口腔内写真検査報告書
３５…歯の病気を絵や図面や写真などを用いて理解させる指導書
【図１】
2004001275.tif 000003
【図２】
2004001275.tif 000004
【図３】
2004001275.tif 000005
【図４】
2004001275.tif 000006